(57)【特許請求の範囲】
【請求項１】
パチンコ遊技機表面にあって、上部球受皿を囲むように連設された複数の点灯具からなる上皿情報灯具列と、下部球受皿を囲むように連設された複数の点灯具からなる下皿情報灯具列と、開口を介して前面に臨む遊技盤の遊技領域に沿って、遊技領域を囲繞するように連設された複数の点灯具からなる案内灯具列とを備えると共に、
上部球受皿内に貯留する遊技球の状態を検知する球切れ検知手段と、該球切れ検知手段により球切れを検知した場合に、上皿情報灯具列の点灯具を警告表示させる球切れ検知用警告表示手段と、
下部球受皿内に貯留する遊技球の状態を検知する球過剰検知手段と、該球検知手段により球過剰貯留を検知した場合に、下皿情報灯具列の点灯具を警告表示させる球過剰検知用警告表示手段と、
球切れ検知用警告表示手段又は球過剰検知用警告表示手段による警告表示の発生を、該案内灯具列の点灯具による光案内演出により通知する案内通知手段と
を備え、
さらに遊技の状態に応じて点滅して、遊技を盛り上げるための演出的な光作動である光遊技演出を、上皿情報灯具列と、下皿情報灯具列と、案内灯具列とが実行するとともに、この光遊技演出が、上皿情報灯具列若しくは下皿情報灯具列の警告表示又は案内灯具列の光案内演出と同期した場合には、光遊技演出を停止して警告表示及び光案内演出を優先して報知することを特徴とするパチンコ遊技機。
【請求項２】
案内通知手段が、案内灯具列の点灯具を、警告表示している上皿情報灯具列又は下皿情報灯具列の点灯具に向かって、順次連続して点灯消灯作動させる、光案内演出を実行することを特徴とする請求項１に記載のパチンコ遊技機。
【請求項３】
遊技盤の前面に配設されて、遊技盤の遊技領域を臨む開口にガラス板が嵌着された表面カバーと、
該表面カバーの下方位置に配設され、遊技球を発射位置へ誘導する球誘導路と連通する上部球受皿が突設された上皿パネルと、
上皿パネルの下方位置に配設され、上部球受皿と連通する下部球受皿と、発射ハンドルとを設けた下皿パネルとを具備したパチンコ遊技機であって、
上皿パネルに上皿情報灯具列を配設し、下皿パネルに下皿情報灯具列を配設し、表面カバーに案内灯具列を配設してなる請求項１に記載のパチンコ遊技機。
【発明の詳細な説明】
【０００１】
【発明の属する技術分野】
本発明は、遊技球を貯留する球受皿を具備するパチンコ遊技機に関する。
【０００２】
【従来の技術】
複数の図柄を変動表示する図柄表示装置と、図柄始動条件の成立に起因して、図柄を循環変動し、停止して図柄確定する図柄制御手段とを備え、図柄表示装置に確定表示された図柄の組合せが所定の当り図柄態様である場合に、遊技者に所定の利得を供与することとなる特別遊技作動を実行するようにしたパチンコ遊技機は良く知られている。これらには、いわゆる第１種パチンコ遊技機及び第３種パチンコ遊技機がある。
【０００３】
このようなパチンコ遊技機にあっては、パチンコ遊技機表面の遊技盤の遊技領域の下方に、上部球受皿と下部球受皿とが段設されている。この上部球受皿に貯留された遊技球が、球送り機構により一球ずつ発射レール始端の発射位置に自動的に供給され、発射ハンドルの回動操作によって発射位置の遊技球を発射鎚で打圧することにより、遊技球が遊技盤面に順次打ち出される。そして、遊技盤面の入賞口に遊技球が入賞すると、この入賞に応じた賞球が払い出される。この払い出された賞球は上部球受皿に送られるが、上部球受皿が満杯になった場合には自動的に下部球受皿側に賞球が払い出されるようにしている。
【０００４】
【発明が解決しようとする課題】
ところで、このようなパチンコ遊技機における遊技中にあって、遊技者は当り、ハズレを決定する図柄表示装置を主に注視しているから、遊技球を貯留する上部球受皿や下部球受皿に遊技者が注意を払うことは少ない。そのため、上部球受皿で球切れが発生して遊技球が発射されない場合が生じると、遊技者は瞬間的にこの原因を断定できず、無用な混乱を招く恐れがある。特にこのような球切れが特別遊技作動中に発生した場合には、遊技を中断することとなるから、遊技者は大きな利益の得られる機会を充分に活かすことができず、損失を被ることになる。また、下部球受皿に多くの賞球が払い出される等して下部球受皿が満杯の状態において、さらに賞球が払い出されれば、下部球受皿から遊技球が溢れることとなる。この場合には、遊技者は一旦遊技を中断することとなり、遊技が途切れ、その緊張感が疎外されることとなった。また、溢れた遊技球を失う等により遊技者が大きな損失を被ることにもなりえた。このように遊技者は遊技中でも常に上部球受皿及び下部球受皿に気を配る必要があるため、負担が大きく、遊技を充分楽しむことが難しかった。
本発明は、かかる問題点を解決することを目的とするものである。
【０００５】
【課題を解決するための手段】
本発明のパチンコ遊技機としては、パチンコ遊技機表面にあって、上部球受皿を囲むように連設された複数の点灯具からなる上皿情報灯具列を備えると共に、上部球受皿内に貯留する遊技球の状態を検知する球切れ検知手段と、該球切れ検知手段により球切れを検知した場合に、上皿情報灯具列の点灯具を警告表示させる警告表示手段とを備えていることを特徴とする。また、このようなパチンコ遊技機として、遊技盤の前面に配設されて、遊技盤の遊技領域を臨む開口にガラス板が嵌着された表面カバーと、該表面カバーの下方位置に配設され、遊技球を発射位置へ誘導する球誘導路と連通する上部球受皿が突設された上皿パネルと、上皿パネルの下方位置に配設され、上部球受皿と連通する下部球受皿と、発射ハンドルとを設けた下皿パネルとを具備したものであって、上皿パネルに上皿情報灯具列を配設してなることも提案される。
【０００６】
ここで、球切れとは、上部球受皿内に貯留された遊技球が発射位置に適切に誘導されない場合を示す。すなわち、上部球受皿内に遊技球が無くなった場合や、上部球受皿内又は球誘導路内で球が詰まった場合等のように、発射位置に遊技球が供給されず、発射ハンドルを作動させても遊技球が遊技盤面に発射されない状態である。
【０００７】
かかる構成にあっては、球切れ検知手段が球切れを検出すると、上皿情報灯具列の点灯具を点灯又は点滅作動させて警告表示させるようにしたものであるから、遊技者が遊技に熱中して遊技盤のみを注視している場合にあっても、上部球受皿で発生した球切れを適切に報知することができるため、球切れが発生して遊技球が発射されない時に遊技者が混乱する等して、不利益を被る状況を回避することができ得る。而して、遊技者は遊技が進行する遊技盤面に集中できるから、遊技に対する興趣が一層向上することになる。また、誰も遊技をしていないパチンコ遊技機にあっては、球切れ状態であるので、上皿情報灯具列が警告表示し続けることとなる。これにより、遊技者が居らず、かつ上皿情報灯具列が警告表示しているパチンコ遊技機は、空き台であることが容易に確認できるという優れた利点もある。
【０００８】
ここで、球切れ検知手段としては、例えば、上部球受皿から発射位置に至る遊技球の通過する球通路に、遊技球を検知でき得る磁気センサーや光センサー等のセンサーを配設し、このセンサーにより遊技球の有無を検知する手段が好適に用い得る。そして、この球切れ検知手段により遊技球が検知され無い場合に、上皿情報灯具列の点灯具を点灯又は点滅作動させることにより球切れ状態を警告表示する。
【０００９】
一方、下部球受皿を囲むように連設された複数の点灯具からなる下皿情報灯具列を備えると共に、下部球受皿内に貯留する遊技球の状態を検知する球過剰検知手段と、該球過剰検知手段により球過剰貯留を検知した場合に、下皿情報灯具列の点灯具を警告表示させる警告表示手段とを備えていることが提案される。ここで、表面カバーと上皿パネルとの下方位置に配設され、上部球受皿と連通する下部球受皿と発射ハンドルとを設けた下皿パネルに、下皿情報灯具列が配設されていることも提案される。また、この下部球受皿はパチンコ遊技機の最下位置に配設されているから、遊技者がパチンコ遊技機正面に対した場合に遊技者の視界に入りにくく、遊技者が意識しなければ下部球受皿の状況を全く認識し得ない領域である。
【００１０】
かかる構成にあっては、この下部球受皿を囲むように配設された下皿情報灯具列が、球過剰検知手段により下部球受皿の過剰貯留を検知すると、その点灯具を点灯又は点滅作動して警告表示させるものであるから、下部球受皿から遊技球が溢れる前に遊技者は下部球受皿が満杯になったことを知り得るので、下部球受皿の遊技球を球貯留箱等に移し替えることができる。而して、遊技球が溢れることによる遊技球の損失を防止できると共に、それに伴って遊技を中断することを回避できるから、遊技に対する緊張感を適切に持続でき得るという優れた効果がある。
【００１１】
ここで、球過剰検知手段としては、例えば、下部球受皿に流出される遊技球が通過する球流路の球出口付近に、遊技球を検知し得るセンサーを配設し、このセンサーが遊技球を所定時間以上連続して検知し続けた場合に下部球受皿が球過剰貯留状態となっていると判断する手段が好適に用いられる。而して、この球過剰検知手段により下部球受皿が満杯と判断されると、下皿情報灯具列の点灯具を点灯又は点滅作動させて警告表示を発する。
【００１２】
また、上述のパチンコ遊技機が、パチンコ遊技機表面にあって、開口を介して前面に臨む遊技盤の遊技領域に沿って、遊技領域を囲繞するように連設された複数の点灯具からなる案内灯具列を備えると共に、警告表示の発生を、該案内灯具列により通知する案内通知手段を備えていることも提案される。ここで、案内灯具列が、遊技盤の前面に配設されて、遊技盤の遊技領域を臨む開口にガラス板が嵌着された表面カバーに配設されていることも提案される。上述したように上皿情報灯具列が球切れを警告表示した場合、あるいは、下皿情報灯具列が球過剰貯留を警告表示した場合に、遊技者の視界内に入り易い案内灯具列を点灯又は点滅作動させることにより、遊技に熱中し遊技盤面を注視している遊技者の視線を一旦遊技盤面から離せると共に、この警告表示の発生を知らせることができるから、上部球受皿での球切れや、下部球受皿での球過剰貯留を適切に遊技者に認識させ得るという優れた利点がある。また、このような案内灯具列が、遊技盤の遊技領域を臨む開口に沿って連設された点灯具で形成されていることにより、遊技盤面を一層強調することができるから、案内灯具列による警告表示の案内作用を一層適正かつ明確に遊技者に知らせることができる。
【００１３】
この案内灯具列の通知手段としては、案内灯具列の全ての点灯具を点灯又は点滅作動することにより警告表示の発生を通知するようにしても良く、又は、案内灯具列の上部位置に配設された一部の点灯具を点灯又は点滅作動することにより警告表示の発生を通知するようにしても良い。
【００１４】
また、この案内通知手段が、案内灯具列の点灯具を、警告表示する点灯具に向かって順次連続して点灯消灯作動させる光案内演出を実行するようにしたことも提案される。ここで光案内演出は、例えば、連続して配設された点灯具を時計回り方向（あるいは反時計回り方向）に向かって順に、一個ずつ又は数個ずつ点灯させる作動と、消灯させる作動を順次連続して行うことにより、あたかも光が移動していくような演出態様をいう。このように、案内通知手段が光案内演出を実行することにより遊技者の視点を遊技盤から、警告表示を発している上部球受皿あるいは下部球受皿に案内させることができるため、遊技者に球切れや球過剰貯留を適切に認識させ得るという優れた効果がある。この案内通知手段としては、上皿情報灯具列あるいは下皿情報灯具列が警告表示を発すると、遊技盤を注視している遊技者の視界に入る位置の案内灯具列の点灯具（例えば案内灯具列の上部位置に配設された点灯具）を点灯作動させた後、案内灯具列の点灯具を警告表示を発している上皿情報灯具列あるいは下皿情報灯具列に向かって、順次連続して点灯消灯作動させることにより光が移動していく光案内演出を行う。これにより、この光案内演出を追従して遊技者に当該警告表示を適切に認識させることができる。ここで、この光案内演出は、遊技盤の左側又は右側のいずれかの案内灯具列で実行するようにしても良く、又は両側の案内灯具列で同時、あるいは時間差をおいて実行するようにしても良い。
【００１５】
【発明の実施の形態】
いわゆる第１種パチンコ遊技機に本発明を適用した一実施例を説明する。
図１はパチンコ遊技機１の正面図であり、図７はその斜視図である。ここでパチンコ遊技機１は、遊技盤２の前面に、遊技盤２の遊技領域を臨む開口にガラス板（図示せず）が嵌着された表面カバー３と、この表面カバー３の下方位置に、上部球受皿４１が突設された上皿パネル４３とが夫々開閉可能に軸着されて設けられている。また、上皿パネル４３の下方位置には下皿パネル４４が設けられ、この下皿パネル４４には下部球受皿４２と、下部球受皿４２の右側方に発射ハンドル４０とが配設されている。
【００１６】
このパチンコ遊技機１の表面には、本発明にかかる、開口を介して前面に臨む遊技盤２の遊技領域に沿って、表面カバー３に複数の点灯具３０が連設されてなる案内灯具列３２と、上皿パネル４３に複数の点灯具３０が上部球受皿４１を囲むように連設されてなる上皿情報灯具列３３と、下皿パネル４４に複数の点灯具３０が下部球受皿４２を囲むように連設されてなる下皿情報灯具列３４とが形成されている。ここで、下皿情報灯具部３４は、点灯具３０が上皿パネルにも連設されて、上皿情報灯具部３３と連続するように設けられている。
【００１７】
パチンコ遊技機１の左側部にはプリペイド式のプリペイドカードユニット（図示せず）が付設され、該プリペイドカードユニットにプリペイドカードを挿入した状態で、所定のボタン操作を介して遊技球の借り受け操作を行うことにより、借り受け希望額に相当する数の遊技球が、上部球受皿４１の球出口から貸し出される。この遊技球は、上部球受皿４１と連通する球誘導路７０を通じて発射位置へ誘導される（図４参照）。そして、発射ハンドル４０の回動操作によって遊技盤面に打ち出される上部球受皿４１の遊技球が、遊技盤２の入賞口に入賞すると所定数の賞球が払い出される。この払い出された賞球は上部球受皿４１の球出口から排出される。尚、上部球受皿４１が満杯になるとパチンコ遊技機１の裏面に配設されている払い出し流路５５ｂ（図６参照）を遊技球が流下して下部球受皿４２の球出口５６から排出され、該下部球受皿４２内に貯留されるようになっている。
【００１８】
この上部球受皿４１は遊技球を貯留するものであって、図４のように、球誘導路７０により遊技球を一列状とし、該球誘導路７０に設けられた整流器７１を経て発射位置Ｐ１へと案内する。この球誘導路７０は、上部球受皿４１の背部に設けられた整流器７１の球通路７２と連通している。この球通路７２の最端部は下方へ開口し、かつ該開口を球一個分が滞留し得る領域（位置Ｐ２）を残して、発射位置Ｐ１に遊技球を一球づつ供給する球送り部材７３の頂端で開閉可能に遮断するようにしている。この球送り部材７３は発射鎚７７の揺動にともない回動し、係止孔７４に球通路７２の最端部にあった球を捕捉した後、整流器７１の連通孔７５から発射レール７６の端部にある発射位置Ｐ１へ球を送り込む。この発射位置Ｐ１の球は遊技球を発射する発射装置の一部を構成する発射鎚７７の打圧作動により発射レール７６を経由して遊技盤２に打ち出される。そして、同時に、球送り部材７３に係止されて位置Ｐ２に保持された球が再び発射位置Ｐ１に送り込まれる。この様に、整流器７１の球通路７２に在る遊技球は順次発射位置Ｐ１に供給される。
【００１９】
また、パチンコ遊技機１の裏面側には、図６に示すように、入賞に伴い賞球を払い出す賞球ユニット（図示せず）が配設されており、払出制御基板６５（図３参照）の制御作動により該賞球ユニットから下方に賞球を導く球流路５３が形成されている。この球流路５３は、二股状に分岐され、その一方は上部球受皿４１への球出口５４に通じる払い出し流路５５ａとなっており、他方は下部球受皿４２への球出口５６に通じる払い出し流路５５ｂとなっている。そして、球流路５３を流下する賞球は、始めのうちは、払い出し流路５５ａを通って球出口５４から図１に示す上部球受皿４１に流出するが、上部球受皿４１が満杯となり、払い出し流路５５ａの始端まで溢れると、自動的に払い出し流路５５ｂ側に流れて球出口５６から下部球受皿４２に流出することとなる。また、該払い出し流路５５ｂの終端近傍には、図示しない流入口が開口されており、該流入口から発射エラー球，或いは上部球受皿４１から回収する遊技球が流入するようにようになっている。
【００２０】
図２は遊技盤２の正面図であって、そして、その内側レール内の中央に配設されたセンターケース７内に液晶表示器、ドット表示器、ＣＲＴ表示器等からなる動画を表現可能な図柄表示装置６が設けられる。この図柄表示装置６の図柄表示領域Ｆには三つの特別図柄Ａ，Ｂ，Ｃが表示される。この特別図柄Ａ，Ｂ，Ｃは、それぞれ「０」〜「９」の１０の数字からなる図柄列により構成されている。
【００２１】
センターケース７の上部には、その中央に三個の発光ダイオードＬＥＤを内部に備えた普通図柄表示装置１０が配設され、この三個の発光ダイオードＬＥＤは順次点滅ｔ２して、種々の組合せの点灯ｔ１態様を表示する。そして、この点灯ｔ１態様が所定の当り態様の場合には、普通電動役物１５を開放する。また、この普通図柄表示装置１０の両側には二個づつ計四個のパイロットランプからなる普通図柄始動記憶数表示装置１２が設けられ、後述の普通図柄始動スイッチＳ2（図３参照）からの遊技球検出信号が、所定数を上限として主制御基板６０（図３参照）の記憶装置ＲＡＭの一部領域に記憶された場合に、その記憶数を表示する。
【００２２】
一方、センターケース７の両側には、普通図柄作動ゲート（普通図柄始動領域）１３，１３が設けられ、遊技球の通過により該普通図柄作動ゲート１３，１３に内蔵された普通始動スイッチＳ2から遊技球検出信号が発生すると、普通図柄表示装置１０を変動し、所定の図柄態様で停止表示する。
【００２３】
また、センターケース７の下部には四個のパイロットランプからなる特別図柄始動記憶数表示装置８が設けられ、後述する主制御基板６０の記憶装置ＲＡＭの一部領域に記憶された特別図柄始動記憶数を表示する。
【００２４】
また、図柄表示装置６の直下位置には、内部を特別図柄始動領域１４として、開閉翼片により始動領域（入賞口兼用）の開放度を変化させるようにした普通電動役物１５が配設されている。そして普通図柄表示装置１０が所定の当り図柄態様を表出した場合に、開閉翼片が約０．５秒拡開して、特別図柄始動領域１４の開放度を拡開させて遊技球が入り易い状態とする。普通電動役物１５内には特別図柄始動スイッチＳ1（図３参照）が備えられ、遊技球の通過に伴って図柄表示装置６の特別図柄Ａ，Ｂ，Ｃが変動表示する。
【００２５】
普通電動役物１５のさらに下方には、内部に特定領域と通常領域とを有する大入賞口２３が配設され、開閉片２４を大入賞口開放ソレノイド（図３参照）により開閉制御することで大入賞口２３を開放状態と閉鎖状態のいずれかに変換する可変入賞装置２２が配設されている。そして、図柄表示装置６の特別図柄Ａ，Ｂ，Ｃが所定の当り図柄態様を表出すると、開閉片２４が開いて、その開放状態で開閉片２４の上面が案内作用を生じ、大入賞口２３へ遊技球を案内する。そして、特定領域に遊技球が入ると、次の開閉ラウンドへ移行可能となり、連続開放作動を生じて、遊技者に所定の利得が供される一連の特別遊技作動を実行する。この可変入賞装置２２の内部には、図３で示すように、特定領域に入った遊技球を検知する特定領域スイッチＳ3と、大当り中の入賞個数を計数するカウントスイッチＳ4とが設けられている。ここで特定領域スイッチＳ3にも、特定領域に入った遊技球を計数するカウントスイッチとしての機能が備えられている。
【００２６】
図３は、本発明にかかるパチンコ遊技機の遊技作動を制御する制御回路を示すものである。
主制御基板６０には、パチンコ遊技機の遊技作動等を統括的に制御するための基板回路が設けられている。この基板回路上には主制御用中央制御装置ＣＰＵと、該主制御用中央制御装置ＣＰＵにデータを読み書きするアドレスを指定する情報を一方的に伝えるアドレスバス（図示せず）及びデータのやり取りを行なうデータバス（図示せず）を介して接続される、演算処理に用いる動作プログラムを格納する記憶装置ＲＯＭと、必要なデータを随時読み書き可能な記憶装置ＲＡＭとが配設されている。この記憶装置ＲＯＭには、制御プログラム、乱数テーブル等の固定データが記憶されている。乱数テーブルには当り特別乱数Ｋ、当り図柄乱数Ｌ、ハズレ図柄乱数Ｍa ，Ｍb ，Ｍc 、リーチ乱数Ｎ、リーチ図柄乱数Ｐ、リーチ態様乱数Ｑ、普通当り乱数Ｕ、当り普通図柄乱数Ｖ等が格納されており、所定の要件が充足されると主制御用中央制御装置ＣＰＵにて各乱数の抽選が行われる。
【００２７】
この主制御基板６０の基板回路には、所定のクロックパルスを出力するクロック装置（図示せず）が設けられ、主制御用中央制御装置ＣＰＵに接続されている。そして主制御用中央制御装置ＣＰＵは一定間隔のクロックパルスによって、時系列的に演算処理を行い、一連の処理作動を順次実行する。
【００２８】
また、この主制御基板６０の基板回路には、主制御用中央制御装置ＣＰＵが周辺機器とデータ通信を行う入力ポート（図示せず）及び出力ポート（図示せず）が設けられており、該出力ポートを介して主制御基板６０からの制御指令が、図柄表示制御基板６２、音源制御基板６３、光源制御基板６４、及び払出制御基板６５の各入力ポートに向け、一方向に発信されるように接続されている。また、主制御基板６０の入力ポートには盤面中継基板６１を介して上述した特別図柄始動スイッチＳ1、普通図柄始動スイッチＳ2 、特定領域スイッチＳ3、カウントスイッチＳ4が接続されている。主制御基板６０が２ｍｓ毎に各スイッチＳ1〜4の遊技球検出状態を調べ、遊技球検出があるとその信号が波形整形回路により波形整形されて主制御用中央制御装置ＣＰＵに入力され、その情報を記憶装置ＲＡＭに記憶する。同様に本発明にかかる球切れ検知装置９０、球過剰検知装置９１も盤面中継基板６１を介して接続されており、所定の検出信号の検出により主制御基板６０が光源制御基板６４に所定の制御指令信号を発信する。
【００２９】
ここで主制御用中央制御装置ＣＰＵ及び後述する各制御基板に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。そして、この主制御用中央制御装置ＣＰＵは、所定の形式で生成した制御指令信号を各制御基板に夫々送信し、各制御基板の中央制御装置ＣＰＵが該制御指令信号に従って所定の制御を処理実行することとなる。
【００３０】
上記の図柄表示制御基板６２には、図柄表示装置６の表示領域で表出される図柄表示態様を制御するための基板回路が設けられている。この基板回路は、図柄表示態様を制御処理する図柄制御用中央制御装置ＣＰＵに、演出プログラムや図柄表示パターン等の固定データが格納されている記憶装置ＲＯＭと、必要なデータを読み書きできる記憶装置ＲＡＭと、入力ポート及び出力ポートとが接続されて構成されている。そして、主制御基板６０からの制御指令信号を入力ポートを介して受信すると、図柄制御用中央制御装置ＣＰＵにおいて演算処理し、所定の図柄表示態様を演出する図柄データを、出力ポートを介して表示用ドライバに送信し、図柄表示装置６の図柄表示領域に所定の図柄を表出させる。
【００３１】
上記の音源制御基板６３には、スピーカから発生する効果音等を制御するための基板回路が設けられている。この基板回路は、音響を制御する音源制御用中央制御装置ＣＰＵに、動作プログラムや音響発生パターン等の固定データが記憶されている記憶装置ＲＯＭと、必要なデータを読み書きする記憶装置ＲＡＭと、入力ポート及び出力ポートとが接続されて構成されている。この音源制御基板６３は、上記の主制御基板６０より入力ポートを介して受信した制御指令信号を音源制御用中央制御装置ＣＰＵで演算処理し、サウンドジェネレータを介してスピーカから所定の効果音を出力させる。
【００３２】
上記の光源制御基板６４には、パチンコ遊技機に備えられた発光ダイオードＬＥＤや装飾ランプを発光させるための基板回路が設けられている。これにより、本発明にかかる発光ダイオードＬＥＤ（及び／又はランプ）で構成された点灯具３０を発光作動させることにより案内灯具列３２、上皿情報灯具列３３、下皿情報灯具列３４を発光制御する。この基板回路は、発光作動を制御処理する光源制御用中央制御基板ＣＰＵと、演出プログラムが格納されている記憶装置ＲＯＭと、必要なデータを読み書きする記憶装置ＲＡＭと、入力ポート及び出力ポートとが接続されて構成されている。この記憶装置ＲＯＭには、動作プログラム及び、点灯具３０を発光制御するための警告発光パターン、案内通知発光パターン、光案内演出パターン等の光演出を行う固定データも記憶されている。この光源制御基板６４は、光源制御用中央制御装置ＣＰＵで、上記の主制御基板６０から入力ポートを介して受信した制御指令信号を演算処理し、所定の光データを出力ポートを介して、発光ダイオードＬＥＤや装飾ランプ等を作動させるドライバを配した光源作動基板に送信する。そして、光源作動基板はこの光データに従って所定の点灯具３０を点灯ｔ１、点滅ｔ２、消灯作動させる。
【００３３】
上記の払出制御基板６５には、遊技球の貸球や賞球等を制御するための基板回路が設けられている。この基板回路は、貸球ユニットや賞球ユニット等の各種ソレノイドを作動させて、所定の貸球や賞球の供給を制御する払出制御用中央制御装置ＣＰＵに、動作プログラム、賞球や貸球の球数パターン等の固定データが記憶されている記憶装置ＲＯＭと、球数カウントデータ等の必要なデータを読み書きする記憶装置ＲＡＭと、入力ポート及び出力ポートとが接続されて構成されている。この払出制御基板６５は、主制御基板６０から受信した制御指令信号に従い、払出制御用中央制御装置ＣＰＵで演算処理し、所定のデータを出力ポートを介して払出中継基板に送信し、該データにより貸球ユニットや賞球ユニット等の各種ソレノイドを作動し、所定の貸球や賞球の払い出しを実行する。また、払出制御基板６５は、遊技球の貸球を記憶したプリペイドカードの読み込み書き込みを行うプリペイドカードユニットと、該プリペイドカードのデータ処理を中継するＣＲ接続基板を介して接続され、遊技球の残球等のデータをやりとりする。
【００３４】
次に本発明の制御態様をパチンコ遊技機の作動に従って説明する。
遊技球が発射装置より遊技盤２に発射され、該遊技球が特別図柄始動領域１４を通過し、特別図柄始動スイッチＳ1がＯＮ作動すると、該信号を盤面中継基板６１を介して主制御基板６０が認識する。かかる信号により、主制御用中央制御装置ＣＰＵは、記憶装置ＲＯＭに記憶されている大当り特別乱数Ｋ、大当り図柄乱数Ｌ、ハズレ図柄乱数Ｍa ，Ｍb ，Ｍc 、リーチ乱数Ｎ、リーチ図柄乱数Ｐ、リーチ態様乱数Ｑ等の各図柄乱数を選出し、各選出値を一旦、記憶装置ＲＡＭに格納する。さらには、特別図柄始動スイッチＳ1のＯＮ信号に基づき、主制御用中央制御装置ＣＰＵで演算処理して賞球指令信号を払出制御基板６５に発信する。
【００３５】
主制御基板６０から賞球指令信号を受信した払出制御基板６５は、記憶装置ＲＯＭや記憶装置ＲＡＭの記憶データを用いて払出制御用中央制御装置ＣＰＵにて演算処理を行い、その結果に従って賞球ユニットのソレノイドを作動させて所定数量の賞球を払い出す。
【００３６】
尚、遊技球が特別図柄始動領域１４に連続的に通過した場合には、特別図柄始動スイッチＳ1による遊技球検出が主制御基板６０の記憶装置ＲＡＭに記憶され、その記憶に基づいて上述したように特別図柄始動記憶数表示装置８の発光ダイオードＬＥＤが順次点灯ｔ１し、最高四回まで保留される。この発光ダイオードＬＥＤは図柄が変動する都度、消灯されて、記憶数が減少する。なお、始動記憶数が満杯（四個）となっている場合には、特別図柄始動領域１４を遊技球が通過しても無効となる。
【００３７】
そして、特別図柄始動スイッチＳ1のＯＮ作動もしくは、主制御基板６０の記憶装置ＲＡＭに記憶されている始動記憶数の消化により図柄変動が開始されると、主制御用中央制御装置ＣＰＵは、選出された大当り特別乱数Ｋを判定し、大当り図柄乱数Ｌ、ハズレ図柄乱数Ｍa ，Ｍb ，Ｍc のいずれかを有効とすると共に、リーチ乱数Ｎの選定内容に従ってリーチとするかどうかを判定する。
【００３８】
ここで、上述の大当り特別乱数Ｋが大当りを選出した場合、大当り図柄乱数Ｌと、リーチ態様乱数Ｑを有効とし、主制御基板６０は、図柄表示制御基板６２に所定の制御指令信号を伝達する。そして、図柄表示制御基板６２が大当り図柄乱数Ｌに従い特別図柄をＡ＝Ｂで停止し、リーチ態様乱数Ｑに従いリーチ作動を実行した後、所定の大当り図柄態様の特別図柄Ａ，Ｂ，Ｃで確定表示する。
【００３９】
さらに、主制御基板６０は、盤面中継基板６１を介して大入賞口ソレノイドを駆動して、大入賞口２３を開放する。そして、大入賞口２３に遊技球が流入され、該大入賞口２３内の特定領域スイッチＳ3やカウントスイッチＳ4がＯＮ作動されると、その信号を盤面中継基板６１を介して主制御基板６０が確認し、必要に応じて、図柄表示制御基板６２や払出制御基板６５に制御指令を発信して一連の特別遊技作動が実行される。
【００４０】
一方、大当り特別乱数Ｋが大当りを選出しない場合には、上述のハズレ図柄乱数Ｍa ，Ｍb ，Ｍcからなる制御指令を主制御基板６０から図柄表示制御基板６２に発信し、該図柄表示制御基板６２は該制御指令に従って、特別図柄Ａ，Ｂ，Ｃをハズレ表示する。ここで、ハズレ図柄乱数が大当り図柄を選出していた場合には、再びハズレ図柄乱数Ｍa ，Ｍb ，Ｍcを選出して、ハズレ図柄態様とする。また、リーチ乱数Ｎによりリーチ作動を実行する場合にあっては、特別図柄Ａ＝Ｂを一旦表示し、リーチ態様乱数Ｑにより選定された、所定のリーチ変動態様によるリーチ作動を発生させるようにした後、ハズレ図柄乱数Ｍa ，Ｍb ，Ｍcに従ってハズレ図柄態様を表示する。
【００４１】
次に本発明の要部につき説明する。
本発明にかかるパチンコ遊技機１にあっては、開口を介して前面に臨む遊技盤２の遊技領域に沿って、表面カバー３に複数の点灯具３０が連設された案内灯具列３２を備えると共に、図７のように上部球受皿４１を囲むように点灯具３０が連設された上皿情報灯具列３３と、下部球受皿４２を囲むように点灯具３０が連設された下皿情報灯具列３４とを設けている。そして、案内灯具列３２と上皿情報灯具列３３と下皿情報灯具列３４とが連続するように配設されている（図１及び図７参照）。尚、下皿情報灯具部３４は、上皿情報灯具部３３と連続するように、点灯具３０が上皿パネル４３上にも連設されて構成されている。ここで、点灯具３０には、発光ダイオードＬＥＤやランプ等が用いられる。尚、案内灯具列３２、上皿情報灯具列３３及び下皿情報灯具列３４は点灯具３０がパチンコ遊技機１の前面に表出していても良く、又は、この点灯具３０の前面に透明又は半透明のカバーが配されていても良い。
【００４２】
上述のパチンコ遊技機１には、上部球受皿４１に貯留した遊技球を発射位置Ｐ１に案内する、整流器７１の球通路７２に球切れ検知装置９０が設けられている（図４及び図５参照）。この球切れ検知装置９０が遊技球を検知できない場合、すなわち遊技球が発射位置Ｐ１に供給されない場合に、上皿情報灯具列３３の点灯具３０を点滅ｔ２させて警告表示すると共に、案内灯具列３２の点灯具３０により該警告表示を案内通知させる。ここで、球切れ検知装置９０には、磁気センサーや光センサー等からなるコ字状センサーを用い、遊技球の有無を検知する。
【００４３】
この球通路７２に設けられた球切れ検知装置９０により検知した結果は、上述した盤面中継基板６１を介して主制御基板６０が確認する。そして、遊技球を所定時間検知できない場合に、主制御基板６０は光源制御基板６４に上皿情報灯具列３３を警告表示させるための制御指令信号と、案内灯具列３２に該警告表示を案内通知させるための制御指令信号とを発信する。そして、この制御指令信号に従って光源制御基板６４は、光源作動基板を介して点灯具３０を所定の要領で作動制御する。
【００４４】
一方、このパチンコ遊技機１の下部球受皿４２に球出口５６を通じて流出する遊技球が流れる払い出し流路５５ｂには、球出口５６の口縁上部に位置させて、球過剰検知装置９１が配設されている（図６参照）。この球過剰検知装置９１が所定時間以上続けて遊技球を検知した場合、すなわち遊技球が下部球受皿４２に満杯になった場合に、下皿情報灯具列３４の点灯具３０を点滅ｔ２させて警告表示すると共に、案内灯具列３２の点灯具３０により該警告表示を案内通知させる。
【００４５】
ここで、球過剰検知装置９１は、払い出し流路５５ｂ内に延出する可動アーム９２を備えたマイクロスイッチ９３によって構成されている。、下部球受皿４２が満杯になって流出しない遊技球が球出口５６から払い出し流路５６ｂの下部に滞留すると、この滞留遊技球によって可動アーム９２が押圧されてマイクロスイッチ９３がＯＮとなり、その検知信号が上述した盤面中継基板６１を介して主制御基板６０で確認される。そして、所定時間以上マイクロスイッチ９３のＯＮ状態が継続した場合には、主制御基板６０は光源制御基板６４に下皿情報灯具列３４を警告表示させるための制御指令信号と、案内灯具列３２に該警告表示を案内通知させるための制御指令信号とを発信する。そして、この制御指令信号に従って光源制御基板６４は、光源作動基板を介して点灯具３０を所定の要領で作動制御する。
【００４６】
次に本発明にかかる警告表示、及びその案内通知作動の表示態様を説明する。上述のようなパチンコ遊技機１にあって、上部球受皿４１に貯留された遊技球は、順次球誘導路７０から球通路７２を介して発射位置Ｐ１に案内される（図４参照）。ここで、上部球受皿４１に遊技球が無くなった場合、もしくは、発射位置Ｐ１に至る誘導流路５０にゴミ、埃等の異物が混入して球詰まりを起こした場合等を生じると、発射位置Ｐ１に遊技球が供給されないないから、球通路７２に設けられた球切れ検知装置９０が遊技球を検知することができない。そして、所定時間経過しても球切れ検知装置９０により遊技球が検知されない場合には、球切れ状態と判断され、上皿情報灯具列３３の点灯具３０を図８のように点滅ｔ２作動させることにより警告表示を行う。これと同期して、案内灯具列３２の左上部の点灯具３０ａを点灯ｔ１させて、この点灯具３０ａを反時計方向に向かい、点滅ｔ２作動する上皿情報灯具列３３に至るまで順次連続して点灯ｔ１、消灯させて光が移動していく光案内演出を行う（図８→図９→図１０と進行）。この光案内演出を遊技者が視覚的に追従することにより、遊技者の意識を上皿情報灯具列３３の警告表示に向けることができ得る。而して、遊技者に上部球受皿４１の球切れを適切に報知することができる。
【００４７】
一方、遊技球の入賞により、払い出し流路５５ｂを介して払い出される大量の遊技球によって、下部球受皿４２が満杯になると、球過剰検知装置９１が遊技球を検知し続けることとなる。そして、所定時間以上検知し続けた場合には、下部球受皿４２が満杯状態であると判断され、下皿情報灯具列３４の点灯具３０を図１１のように、点滅ｔ２作動させることにより警告表示を行う。これと同期して、案内灯具列３２の左上部の点灯具３０ａを点灯ｔ１させた後、点滅ｔ２作動する下皿情報灯具列３４に向かって反時計回りに上記した光演出態様を行う。この光案内演出を遊技者が視覚的に追従することにより、遊技者の意識を下皿情報灯具列３４の警告表示に向けることができ得る。而して、遊技者に下部球受皿４２の球切れを適切に報知することができる。
【００４８】
このような上皿情報灯具列３３及び下皿情報灯具列３４の警告表示として、上記した点灯具３０の点滅ｔ２作動は単一の発光ダイオードＬＥＤを単純に点滅ｔ２させる以外に、例えば、赤色と青色等の二個の発光ダイオードＬＥＤの組合せにより構成された一つの点灯具３０が、赤色と青色を交互に点滅ｔ２させるようにすることもできる。又は、赤色の発光ダイオードＬＥＤからなる点灯具３０と青色の発光ダイオードＬＥＤからなる点灯具３０を交互に配設し、これらを同色の点灯具３０が同期して点滅ｔ２するように交互に点滅ｔ２作動させるようにしても良い。さらには、上皿情報灯具列３３と下皿情報灯具列３４とに配設される点灯具３０の発光色を異ならせて警告表示することにより、遊技者に警告表示の内容を容易かつ明確に報知することができる。また、この警告表示としては、点滅ｔ２作動の他、連続発光、変色発光、消灯等の種々の作動態様を行うこともできる。
【００４９】
また、上述の案内灯具列３２により警告表示を案内通知手段として、左上部位置の点灯具３０ａを点灯ｔ１させることにより遊技者の注意を引いた後、光案内演出を行う場合にあって、点灯具３０ａの表示態様は点灯ｔ１作動以外に、連続発光、変色発光、消灯等の種々の作動態様を行うこともできる。また、点灯具３０ａを一旦点滅ｔ２作動させた後点灯ｔ１させるようにしても良い。さらにまた、点灯具３０の発光ダイオードＬＥＤの発光色を変える等しても良く、例えば、赤色と青色等の二色の発光ダイオードＬＥＤからなる点灯具３０ａを、上皿情報灯具列３３の警告表示の時は赤色で発光させ、下皿情報灯具列３４の警告表示の時は青色で発光させることもできる。さらには、上皿情報灯具列３３及び下皿情報灯具列３４の警告表示を夫々異なる発光色とすると共に、各警告表示を案内通知する光演出とを夫々同じ発光色として、遊技者に警告表示の内容を報知する効果を一層高めるようにしても良い。
【００５０】
また、このような案内灯具列３２による案内通知する光案内演出が、上部位置の点灯具３０ａから、上記した反時計方向に進む演出と、時計方向に進む演出との両方で行うようにしても良い。これにより上皿情報灯具列３３及び下皿情報灯具列３４の警告表示を遊技者に示唆する案内通知効果を向上させ得る。
【００５１】
上述のようなパチンコ遊技機１としては、上皿情報灯具列３３や下皿情報灯具列３４による警告表示、及び案内灯具列３２による光案内演出の他、遊技状態に応じて各灯具列で光遊技演出を実行するようにしても良い。例えば、図柄表示装置６で特別図柄Ａ，Ｂ，Ｃが変動した後リーチ図柄が表示された場合に、案内灯具列３２及び上皿情報灯具列３３の点灯具３０を点灯ｔ１、点滅ｔ２作動させてリーチを盛り上げるようにしても良い。また、同様に特別図柄が当り図柄態様であった場合には、全ての灯具列の点灯具３０を点灯ｔ１、点滅ｔ２作動させるようにすることもできる。このような光遊技演出により遊技を一層盛り上げることができるから、遊技者の興趣を向上させることができる。ここで、この光遊技演出が上述した警告表示やその案内通知の光演出と同期した場合には、この光遊技演出を停止する等して遊技者に警告表示を優先して報知することにより、遊技を適正に進行させることができる。
【００５２】
本発明は上記形態に限定されるものではなく、この発明の主旨を逸脱しない範囲において様々な形態で実施し得るものである。また、本発明は、いわゆる第一種パチンコ遊技機だけでなく、第二種パチンコ遊技機、又は第三種パチンコ遊技機等、所定の構成を具備する他の機種にも適用され得る。
【００５３】
【発明の効果】
本発明は上述したように、上部球受皿を囲むように点灯具が連設された上皿情報灯具列を備えると共に、上部球受皿内の遊技球を検知する球切れ検知手段が球切れを検知した場合に、上皿情報灯具列により警告表示させるようにしたものであるから、遊技者が遊技盤を注視している状況にあっても、上部球受皿で発生した球切れを適切に報知することができるため、球切れが発生して遊技者が不利益を被る状況を回避することができ得る。また、遊技をしていないパチンコ遊技機を上皿情報灯具列の警告表示により報知できるので、空き台であるか否かを容易に認識できるという利点もある。
【００５４】
また、下部球受皿を囲むように点灯具が連設された下皿情報灯具列を備えると共に、球過剰検知手段が下部球受皿の過剰貯留を検知すると、下皿情報灯具列により警告表示させるようにしたことにより、遊技者に下部球受皿が満杯になったことを適切に報知できるから、遊技球が溢れることによって生じる不利益をを防止できる得る。
【００５５】
このようなパチンコ遊技機にあって、遊技領域を囲繞するように点灯具を連設された案内灯具列を備えると共に、警告表示の発生を、該案内灯具列により通知する案内通知手段を備えるようにしたことにより、遊技に熱中する遊技者の注意を容易に引くことができるから、警告表示の発生を遊技者に的確に通知でき、上部球受皿での球切れや、下部球受皿での球過剰貯留を遊技者に認識させ得る。
【００５６】
また、この案内通知手段が、案内灯具列の点灯具を警告表示する点灯具に向かって順次連続して点灯、消灯作動させる光案内演出としたことにより、遊技者の視点を遊技盤から、警告表示を発している上部球受皿あるいは下部球受皿に移すことができるため、遊技者は球切れや球過剰貯留の状況を容易かつ適切に認識することが可能となる。
【図面の簡単な説明】
【図１】本発明にかかるパチンコ遊技機１の正面図である。
【図２】遊技盤２の正面図である。
【図３】遊技を制御する制御回路を示すブロック回路図である。
【図４】遊技球を発射位置Ｐ１へ誘導する路を表す裏面図である。
【図５】球切れ検知装置９０が配設された整流器７１の裏面図である。
【図６】遊技球の払い出し流路部分を示すパチンコ遊技機１の背面図である。
【図７】本発明にかかるパチンコ遊技機１の斜視図である。
【図８】上皿情報灯具列３３による警告表示と、案内灯具列３２による光案内演出の一形態とを表す説明図である。
【図９】上皿情報灯具列３３による警告表示と、案内灯具列３２による光案内演出の一形態とを表す説明図である。
【図１０】上皿情報灯具列３３による警告表示と、案内灯具列３２による光案内演出の一形態とを表す説明図である。
【図１１】下皿情報灯具列３４による警告表示と、案内灯具列３２による光案内演出とを表す説明図である。
【符号の説明】
１  パチンコ遊技機
２  遊技盤
３０  点灯具
３２  案内灯具列
３３  上皿情報灯具列
３４  下皿情報灯具列
４１  上部球受皿
４２  下部球受皿
９０  球切れ検知装置
９１  球過剰検知装置
Ｐ１  発射位置
ｔ１  点灯
ｔ２  点滅
【図１】
0003811783.tif 000002
【図２】
0003811783.tif 000003
【図３】
0003811783.tif 000004
【図４】
0003811783.tif 000005
【図５】
0003811783.tif 000006
【図６】
0003811783.tif 000007
【図７】
0003811783.tif 000008
【図８】
0003811783.tif 000009
【図９】
0003811783.tif 000010
【図１０】
0003811783.tif 000011
【図１１】
0003811783.tif 000012